(57)【要約】【課題】光源を点灯させたときに、使用者の周囲の照度を維持したまま、使用者の不快感を低減する。【解決手段】建築物の外側に設置されるとともに、虫を誘引しやすい波長の光を取り除く照明器具である。そして、ランプ１と、そのランプ１の照射方向に配置し、波長が約３００ｎｍから約３９５ｎｍまでの光を略１００％カットし、波長が約４０５ｎｍの光の透過率が約５０％以下となり、波長が約４５０ｎｍ以上の光の平均透過率が約５０％以上となるようにカット率が調整される透光性カバー３を、地上から略３ｍ以下の高さに備える。【選択図】図１
2005353555.tif 000002
【特許請求の範囲】
【請求項１】
建築物の外側に設置されるとともに、虫を誘引しやすい波長の光を取り除く照明器具であって、
光源と、
その光源の照射方向に配置し、波長が約３００ｎｍから約３９５ｎｍまでの光を略１００％カットし、波長が約４０５ｎｍの光の透過率が約５０％以下となり、波長が約４５０ｎｍ以上の光の平均透過率が約５０％以上となるようにカット率が調整される透光性部材を、地上から略３ｍ以下の高さに備えることを特徴とする照明器具。
【請求項２】
前記建築物の開口部の近くに設置することを特徴とする請求項１記載の照明器具。
【請求項３】
前記建築物の壁面に設置することを特徴とする請求項１又は２記載の照明器具。
【請求項４】
前記透光性部材は、白色であることを特徴とする請求項１〜３のいずれか記載の照明器具。
【発明の詳細な説明】
【技術分野】
【０００１】
本発明は、例えば、建築物の外側に設置される照明器具に関するものである。
【背景技術】
【０００２】
従来、この種の照明器具は、光源から照射される光のうち、虫を誘引しやすい約３８０ｎｍ以下の波長の光をカットする透光性カバーを用いることにより、点灯時の虫の誘引を低減している。
【０００３】
また、特許文献１には、２００〜５００ｎｍの波長の光を吸収する遮光剤をガラスに含有させることにより、害虫の誘引阻止を行う害虫誘引阻止ガラスが開示されている。
【特許文献１】特開平１−１２２９３５号公報（第２頁−第４頁）
【発明の開示】
【発明が解決しようとする課題】
【０００４】
しかしながら、上記従来の照明器具などは、カットする光の波長帯域が約３８０ｎｍ以下と狭く、虫の誘引を十分に阻止することができないので、点灯時に上記照明器具の周囲に虫が近寄り、それにより、使用者の近くを虫が飛び回ったり、その虫が照明器具の内部に入り、死骸となって溜まったりすることで、使用者が不快感を感じるという問題があった。上記虫の死骸が透光性カバーの下面に溜まることにより、下方向の照度が低下するという問題もあった。これらの問題を防止するために、虫が使用者の視野に入りにくくなるように高い位置に設置すると、使用者の周囲の照度が低減し、照明器具としての機能が低減するという問題が発生した。
【０００５】
また、上記特許文献１の害虫誘引阻止ガラスを照明器具に用いると、紫外光だけでなく可視領域の光の短波長側に対しても大部分をカットしてしまうので、照度が低減するという問題があった。
【０００６】
本発明は上記の点に鑑みて為されたものであり、その目的とするところは、使用者の周囲の照度を維持したまま、使用者の不快感を低減することができる照明器具を提供することにある。
【課題を解決するための手段】
【０００７】
請求項１に記載の発明は、建築物の外側に設置されるとともに、虫を誘引しやすい波長の光を取り除く照明器具であって、光源と、その光源の照射方向に配置し、波長が約３００ｎｍから約３９５ｎｍまでの光を略１００％カットし、波長が約４０５ｎｍの光の透過率が約５０％以下となり、波長が約４５０ｎｍ以上の光の平均透過率が約５０％以上となるようにカット率が調整される透光性部材を、地上から略３ｍ以下の高さに備えることを特徴とする。
【０００８】
この構成では、光源を点灯させたときに、使用者の周囲に虫が集まってくることを防止することができるので、使用者の周囲の照度を維持したまま、使用者の不快感を低減することができる。
【０００９】
請求項２に記載の発明は、請求項１に記載の発明において、前記建築物の開口部の近くに設置することを特徴とする。この構成では、光源を点灯させたときに、虫が建築物の中に入ることを防止することができる。
【００１０】
請求項３に記載の発明は、請求項１又は２に記載の発明において、前記建築物の壁面に設置することを特徴とする。この構成では、壁面で光源からの光が拡散するような場所であっても、使用者の不快感を低減することができる。
【００１１】
請求項４に記載の発明は、請求項１〜３のいずれかに記載の発明において、前記透光性部材は、白色であることを特徴とする。この構成では、虫が内部に侵入したとしても、外部からは、透光性部材に虫の影が映るだけで、虫若しくは虫の死骸そのものは直接見えないので、使用者の不快感をより低減することができる。
【発明の効果】
【００１２】
本発明によれば、光源を点灯させたときに、使用者の周囲の照度を維持したまま、使用者の不快感を低減することができる。
【発明を実施するための最良の形態】
【００１３】
（実施形態１）
先ず、実施形態１の基本的な構成について説明する。実施形態１は、虫の誘引を低減しながら周囲を明るくする屋外用照明器具であり、図１に示すように、ランプ１、本体部２、透光性カバー３を備えている。
【００１４】
ランプ１は、例えば蛍光灯、白熱灯などであり、商用電源（図示せず）から電力が供給されると点灯する。なお、ランプの形状は限定されるものではなく、用途に応じて適宜選択することができる。
【００１５】
本体部２は、枠２０、取付板２１、カバー取付部材２２、端子台２３、ソケット２４を備えている。枠２０は、例えば木、金属、樹脂などであり、断面四角形の筒状に形成され、壁面側において、枠２０の内部に水が侵入した場合であっても外部に排出できるように、図１（ｃ）に示すように、水抜き用穴２００を３ヶ所設けている。枠２０の側面には、図１（ｂ）に示すように、後述する自動スイッチ２６を露出させるように、窓２０１を設け、その近傍に上記自動スイッチ２６の使用方法について記載されている説明ラベル２０２を設けている。取付板２１は、図１（ａ）に示すように、枠２０の壁面側と接合し、その枠２０とともに箱状を形成する。壁面側では、パッキン２５を介して木ねじ２１０によって壁面４に取り付けられる。上記パッキン２５は、例えばＥＰＴ発泡ゴムなどであり、例えば壁面を流れてきた水などが内部に侵入することを防止する。
【００１６】
カバー取付部材２２は、例えばダイカストによって作成され、枠２０の先端側と係合する係合部２２０を有し、その他の部分を枠２０の内側に収納されて備える。また、カバー取付部材２２は、先端側から見ると円状を形成する取付部２２１を有し、その取付部２２１に透光性カバー３を取り付けるための溝２２１ａを設けている。端子台２３は、枠２０の内側に収納され、取付板２１と当接するとともに、カバー取付部材２２を支持している。ソケット２４は、例えば円筒状であり、カバー取付部材２２と接合して枠２０の内側に収納されている。先端側からの回動によりランプ１をソケット２４に取り付けることができる。
【００１７】
自動スイッチ２６は、例えば照度を検出する明るさセンサを窓２０１から露出するように有し、その明るさセンサからの信号に基づいて、ランプ１及び電源（図示せず）間の回路のオンオフを行い、それにより、ランプ１を点灯及び消灯させる。例えば、夜などにおいて周囲の照度が予め決められた照度より低くなるとランプ１を点灯させ、朝などにおいて周囲の照度が予め決められた照度より高くなるとランプ１を消灯させる。また、マスク２６０を切り替えることにより、ランプ１の点灯を点滅にすることもできる。なお、明るさセンサに代わって、若しくは明るさセンサとともに、人感センサを有し、人の有無により、ランプ１及び電源（図示せず）間の回路のオンオフを行ってもよい。
【００１８】
透光性カバー３は、四角形状の底部、その底部から突出した側部、開口部からなり、箱状を形成している。上記開口部は円状であり、周囲に溝３０を設けている。透光性カバー３は、上記溝３０を取付部２２１の溝２２１ａと係合するようにして、カバー取付部材２２に取り付けられる。このとき、透光性カバー３とカバー取付部材２２との間に、円状のパッキン３１が挟まれている。このようにして透光性カバー３をカバー取付部材２２に取り付けると、透光性カバー３とカバー取付部材２２との間の隙間がなくなるので、外からの虫が透光性カバー３の内部に入ったり、内部に入った虫の死骸が溜まったりすることを防止する防虫構造となる。これにより、虫の死骸が溜まることによる照度低下を抑えることができるとともに、掃除の手間を低減することができる。また、雨などが内部に入ることを防止することができる。なお、防虫構造のみを考慮すればよい場合は、透光性カバー３とカバー取付部材２２との間は完全に密閉されているものに限定されず、虫が入れる寸法以下の隙間であればよい。透光性カバー３の形状は限定されるものではなく、用途の応じて適宜選択することができる。
【００１９】
上記透光性カバー３の材料には、例えば、アクリル（ＰＭＭＡ）樹脂、ポリカーボネイト（ＰＣ）樹脂、ポリスチレン（ＰＳ）樹脂、ポリエチレン（ＰＥ）樹脂、ポリエチレンテレフタレート（ＰＥＴ）樹脂、ＰＳ樹脂とＰＥ樹脂からなるＰＳ／ＰＥアロイ等の透光性合成樹脂の何れかに、紫外線吸収剤や染料や顔料を添加したものが用いられている。上記紫外線吸収剤や染料や顔料を添加することで、波長が約３００ｎｍから約３９５ｎｍまでの光を略１００％カットし、波長が約４０５ｎｍの光の透過率が約５０％以下となり、波長が約４５０ｎｍ以上の光の平均透過率が約５０％以上となるようにカット率及び透過率が調整されている。
【００２０】
このように各波長の光のカット率及び透過率が調整された透光性カバー３をランプ１の照射方向に配置しているので、ランプ１の光から波長が約３００〜約３９５ｎｍの光を略１００％カットするとともに、波長が約４０５ｎｍの光の透過率を約５０％以下とすることができ、それにより、紫外領域の光を低減して照明器具の光に誘引される虫の数を抑制することができる。また、波長が約４０５ｎｍの光の透過率を約５０％以下とし、約４５０ｎｍ以上の光の平均透過率を約５０％以上としているので、可視領域の短波長側まで光をカットする場合のように、照射光が黄色味を帯びることはなく、照明器具の見掛けをよくすることができる。なお、ランプ１の光に誘引される虫がさらに低減するためには、波長が約４０５ｎｍの光の透過率を約１０％以下とすることが望ましい。
【００２１】
また、透光性カバー３は、例えば透明若しくは白色である。実施形態１では白色とし、たとえ、長期間の使用などで防虫構造の機能が劣化し、虫が透光性カバー３の内部に侵入したり、その虫の死骸が溜まったりしたとしても、透光性カバー３には虫、又は虫の死骸の影が映るだけであり、外側からは直接見えないので、使用者は視覚的な不快感を低減することができる。
【００２２】
次に、実施形態１の照明器具の設置について説明する。上記照明器具は、例えば一般住宅、ビル、工場など建築物の外側に設置される。特に、出入り口、窓など開口部の近くに取り付けられ、具体的には、一般住宅の場合では、玄関ポーチ、勝手口、通用口、部屋の窓などの周囲の壁面や塀に取り付けられ、ビルや工場の場合では、物品搬入口、非常口などの周囲の壁面に取り付けられる。上記の場所に設置しても、点灯時に虫が近寄らないので、上記建築物の中に虫が入ることを防止する。
【００２３】
上記設置場所において、照明器具を、この設置場所を十分明るくするために、透光性カバー３が地面から略３ｍ以下の高さとなるように設置する。上記設置場所の高さの範囲において、透光性カバー３を地面から５０ｃｍ以上の高さになるように設置することが好ましい。このように設置すると、足元周囲を十分明るく照らすことができる。また、透光性カバー３を地面から１ｍ以上の高さになるように設置するとより好ましい。このように設置すると、足元周囲を明るくするとともに、子供の顔近くの明るさが増し、大人の視野においても明るくなる。そして、透光性カバー３を地面から１ｍ５０ｃｍ以上の高さになるように設置するとさらにより好ましい。このように設置すると、使用者の目線以上となり、大人の顔近くの明るさが増し、子供の視野においても十分明るい。なお、何れの高さを選択しても、点灯によって虫が近寄ってくることはないので、使用者は不快感を感じることがない。
【００２４】
以上、実施形態１によれば、ランプ１を点灯させたときに、使用者の周囲に虫が集まってくることを防止することができるので、使用者の周囲の照度を維持したまま、使用者の不快感を低減することができる。また、建築物の出入り口や窓などの近くに設置しても、虫が建築物の中に入ることを防止することができる。壁面でランプ１からの光が拡散するような場所であっても、使用者の不快感を低減することができる。さらに、透光性カバー３は白色であるので、たとえ、長期間の使用などで防虫構造の機能が劣化し、虫が照明器具の内部に侵入したとしても、外部からは、透光性カバー３に虫の影が映るだけで、虫若しくは虫の死骸そのものは直接見えないので、使用者の不快感をより低減することができる。
【００２５】
なお、実施形態１の変形例として、図２〜４に示すように用いてもよい。図２は、例えば玄関ポーチや勝手口などの軒下面４０に直付けされる軒下直付け灯である。図３は、例えば玄関ポーチや勝手口などの軒下面４０に埋め込まれる軒下埋め込み灯である。図４は、例えば門柱や門塀など門４１に据え置きされる門灯である。このように用いたとしても、ランプ１を点灯させたときに、使用者の周囲に虫が集まってくることを防止することができるので、使用者の周囲の照度を維持したまま、使用者の不快感を低減することができる。また、虫が建築物の中に入ることを防止することができる。
【００２６】
（実施形態２）
実施形態２は、ランプ１、透光性カバー３を備える点で実施形態１と同様であるが、実施形態１にはない以下に記載の特徴部分がある。実施形態２の照明器具は、図５に示すように、ポール状の本体部５を備えるポール灯である。上記ポール灯は、本体部５の上端にランプ１を取り付け、そのランプ１を覆うようにして透光性カバー３を取り付けたものである。図５において、地面に埋め込んで設置するときに、本体部５のうち埋める部分の位置を示すＧ．Ｌ（Ｇｒｏｕｎｄ  Ｌｉｎｅ）ラベル５０が本体部５に設けられ、図５では、地面から透光性カバー３の上端までの高さが約１ｍであり、地中には約４０ｃｍ埋められる位置に上記Ｇ・Ｌラベル５０を設けている。
【００２７】
次に、実施形態２の照明器具の設置について説明する。上記照明器具は、例えば一般住宅、ビル、工場など建築物の近くに設置される。具体的には、一般住宅の場合では、アプローチ、庭などに設置される。
【００２８】
以上、実施形態２によれば、建築物の近くに設置したとしても、ランプ１を点灯させたときに、使用者の周囲に虫が集まってくることを防止することができるので、使用者の周囲の照度を維持したまま、使用者の不快感を低減することができる。
【００２９】
なお、実施形態１又は２の変形例として、透光性カバー３の材料は限定されるものではなく、各波長における光のカット率及び透過率が調整できるのであれば、どのような材料を用いてもよい。例えば、透光性カバー３は、ハロゲン化物などを添加することによって各波長におけるカット率及び透過率を調整した硼珪酸系若しくはリン酸系などの透光性ガラスであってもよい。また、透光性カバー３を、上記の材料からなる単層構造としてもよいし、上記の材料からなる複数の層を積層した積層体としてもよい。
【図面の簡単な説明】
【００３０】
【図１】本発明による実施形態１の照明器具であって、（ａ）は内部構造図、（ｂ）は外観図、（ｃ）は壁面側の内部断面図である。
【図２】同上における他の照明器具の側面図である。
【図３】同上における他の照明器具の側面図である。
【図４】同上における他の照明器具の側面図である。
【図５】本発明による実施形態２の照明器具の外観図である。
【符号の説明】
【００３１】
１  ランプ
２，５  本体部
３  透光性カバー
【図１】
2005353555.tif 000003
【図２】
2005353555.tif 000004
【図３】
2005353555.tif 000005
【図４】
2005353555.tif 000006
【図５】
2005353555.tif 000007